(57)【特許請求の範囲】
【請求項１】
電圧回路（５０）より出力される印加電圧に応じて容量値が変化する可変容量素子（２１）を有する整合回路（２０）と、前記電圧回路（５０）より出力される印加電圧を制御する制御部（４０）を備えた通信装置であって、
前記制御部（４０）は、前記電圧回路（５０）より出力される印加電圧を変化させて前記可変容量素子に接続された容量測定器（２）に前記可変容量素子の前記印加電圧の変化前後の各容量値（Ｃ１、Ｃ２）を計測させる容量値計測手段と、
前記可変容量素子の前記印加電圧の変化前後の各容量値（Ｃ１、Ｃ２）および変化前後の各印加電圧値（Ｖ１、Ｖ２）を用いて前記可変容量素子（２１）の容量値の初期ばらつきを補正するための電圧補正値（α）を算出する電圧補正値算出手段と、
前記電圧補正値（α）を用いて前記可変容量素子（２１）の容量値の初期ばらつきを打ち消すような前記可変容量素子（２１）の補正電圧を算出する補正電圧算出手段と、
前記電圧回路（５０）から前記補正電圧が出力されるように前記電圧回路（５０）より出力される印加電圧を調整する電圧回路制御手段と、を備えたことを特徴とする通信回路。
【請求項２】
前記制御部（４０）は、前記可変容量素子の前記印加電圧の変化前後の各容量値（Ｃ１、Ｃ２）および変化前後の各印加電圧値（Ｖ１、Ｖ２）を前記可変容量素子（２１）の標準的なＣ−Ｖ特性を表す近似式に代入して前記電圧補正値（α）を算出することを特徴とする請求項１に記載の通信回路。
【請求項３】
前記電圧回路（５０）から前記補正電圧が出力されるようにするためのデータを記憶する記憶手段（４０ａ）を備え、
前記電圧回路制御手段は、前記記憶手段（４０ａ）に記憶された前記データに基づいて前記電圧回路（５０）より出力される印加電圧を調整することを特徴とする請求項１または２に記載の通信回路。
【請求項４】
前記可変容量素子の電圧印加端子には、当該可変容量素子の容量値を測定するためのテストピン（Ｐ１、Ｐ２）が接続されていることを特徴とする請求項１または２に記載の通信回路。  
【請求項５】
電圧回路（５０）より出力される印加電圧に応じて容量値が変化する可変容量素子（２１）を有する整合回路の印加電圧調整方法であって、
前記電圧回路（５０）より出力される印加電圧を変化させて前記可変容量素子に接続された容量測定器（２）に前記可変容量素子の前記印加電圧の変化前後の各容量値（Ｃ１、Ｃ２）を計測させる第１のステップと、
前記可変容量素子の前記印加電圧の変化前後の各容量値（Ｃ１、Ｃ２）および変化前後の各印加電圧値（Ｖ１、Ｖ２）を用いて前記可変容量素子（２１）の容量値の初期ばらつきを補正するための電圧補正値（α）を算出する第２のステップと、
前記電圧補正値（α）を用いて前記可変容量素子（２１）の容量値の初期ばらつきを打ち消すような前記可変容量素子（２１）の補正電圧を算出する第３のステップと、
前記電圧回路（５０）から前記補正電圧が出力されるように前記電圧回路（５０）より出力される印加電圧を調整する第４のステップと、を備えたことを特徴とする整合回路の印加電圧調整方法。
【発明の詳細な説明】
【技術分野】
【０００１】
本発明は、可変容量素子を有する整合回路を備えた通信装置および可変容量素子を有する整合回路の印加電圧調整方法に関するものである。
【背景技術】
【０００２】
従来、局部発振信号を出力する局部発振器と、受信回路の出力信号の電圧値を検出する電圧検出回路を備え、整合回路のインピーダンス調整時に、局部発振器から出力される局部発振信号が、印加電圧値に応じて容量値が変化する可変容量素子を有する整合回路に入力されるようにスイッチを切り替えるとともに、電圧検出回路により検出される受信回路の出力信号の電圧値が予め定められた基準電圧値に近づくように整合回路のインピーダンスを自動で制御するようにした無線通信装置がある（例えば、特許文献１参照）。このような装置は、製品出荷後でも、常時、整合回路のインピーダンス調整を行うことが可能である。
【先行技術文献】
【特許文献】
【０００３】
【特許文献１】特開２０１１−２２８８３４号公報
【発明の概要】
【発明が解決しようとする課題】
【０００４】
しかし、上記特許文献１に記載された装置のように、局部発振器から出力される局部発振信号が、可変容量素子を有する整合回路に入力されるようにスイッチを切り替えて整合回路のインピーダンスを自動で制御するような構成では、局部発振器、電圧検出回路、スイッチ等を備える必要があり、構成が複雑で、また、部品点数が多いため回路規模が大きく、高コストとなってしまう。
【０００５】
このような整合回路のインピーダンス調整においては、上記特許文献１に記載された装置のように、常時、整合回路のインピーダンス調整を行うといったことまでできなくても、製品出荷前に、整合回路のインピーダンス調整を精度よくできればよいという場合も少なくない。
【０００６】
この場合、より簡素な構成で、かつ、簡単な操作で、可変容量素子に印加する印加電圧を最適電圧に設定するようにして整合回路のインピーダンスを調整できるようにするのが好ましい。
【０００７】
そこで、整合回路に含まれる可変容量素子に印加する最適な印加電圧（最適電圧）を特定しておき、可変容量素子に最適電圧が印加されるように電圧を調整するようにして整合回路のインピーダンス調整を行うといった方法が考えられる。
【０００８】
しかし、このような方法では、整合回路に含まれる可変容量素子に印加する電圧を最適電圧に設定できたとしても、可変容量素子は個体差による容量値のばらつき（初期ばらつき）が大きいため、整合回路のインピーダンスを精度良く調整するのは難しいといった問題がある。
本発明は上記問題に鑑みたもので、より簡素な構成で、かつ、簡単な操作で、可変容量素子の容量値の初期ばらつきによる影響が抑制されるように可変容量素子の印加電圧調整を行うことを目的とする。
【課題を解決するための手段】
【０００９】
上記目的を達成するため、請求項１に記載の発明は、電圧回路（５０）より出力される印加電圧に応じて容量値が変化する可変容量素子（２１）を有する整合回路（２０）と、電圧回路（５０）より出力される印加電圧を制御する制御部（４０）を備えた通信装置であって、制御部（４０）は、電圧回路（５０）より出力される印加電圧を変化させて可変容量素子（２１）に接続された容量測定器（２）に可変容量素子（２１）の印加電圧の変化前後の各容量値（Ｃ１、Ｃ２）を計測させる容量値計測手段と、可変容量素子（２１）の印加電圧の変化前後の各容量値（Ｃ１、Ｃ２）および変化前後の各印加電圧値（Ｖ１、Ｖ２）を用いて可変容量素子（２１）の容量値の初期ばらつきを補正するための電圧補正値（α）を算出する電圧補正値算出手段と、電圧補正値（α）を用いて可変容量素子（２１）の容量値の初期ばらつきを打ち消すような可変容量素子（２１）の補正電圧を算出する補正電圧算出手段と、電圧回路（５０）から補正電圧が出力されるように電圧回路（５０）より出力される印加電圧を調整する電圧回路制御手段と、を備えたことを特徴としている。
【００１０】
このような構成によれば、制御部（４０）は、電圧回路（５０）より出力される印加電圧を変化させて可変容量素子（２１）に接続された容量測定器（２）に可変容量素子（２１）の印加電圧の変化前後の各容量値（Ｃ１、Ｃ２）を計測させ、可変容量素子（２１）の印加電圧の変化前後の各容量値（Ｃ１、Ｃ２）および変化前後の各印加電圧値（Ｖ１、Ｖ２）を用いて可変容量素子（２１）の容量値の初期ばらつきを補正するための電圧補正値（α）を算出し、電圧補正値（α）を用いて可変容量素子（２１）の容量値の初期ばらつきを打ち消すような可変容量素子（２１）の補正電圧を算出し、電圧回路（５０）から補正電圧が出力されるように電圧回路（５０）より出力される印加電圧を調整するので、例えば、可変容量素子を有する整合回路２０に局部発振信号を入力することなく整合回路２０の調整を行うことができ、より簡素な構成で、かつ、簡単な操作で、可変容量素子の容量値の初期ばらつきによる影響が抑制されるように可変容量素子の印加電圧調整を行うことができる。
【００１１】
また、請求項５に記載の発明のように、請求項１に記載された発明は、整合回路の印加電圧調整方法として捉えることもできる。
【００１２】
なお、この欄および特許請求の範囲で記載した各手段の括弧内の符号は、後述する実施形態に記載の具体的手段との対応関係を示すものである。
【図面の簡単な説明】
【００１３】
【図１】本発明の一実施形態に係る整合回路を有する通信回路の構成を示す図である。
【図２】バリキャップダイオードのＣ−Ｖ特性の一例を示す図である。
【図３】バリキャップダイオードのＣ−Ｖ特性のばらつきの様子を示した図である。
【図４】通信回路１のインピーダンス調整方法の手順を示した図である。
【発明を実施するための形態】
【００１４】
本発明の一実施形態に係る可変容量素子を有する整合回路を備えた通信回路の構成を図１に示す。本通信装置１は、電圧回路５０より出力される印加電圧に応じて容量値が変化するバリキャップダイオード２１を有する整合回路２０と、電圧回路５０より出力される印加電圧を制御する制御部４０を備えている。なお、図１中には、バリキャップダイオード２１の容量を測定する容量測定器２および制御ボード３も示されている。
【００１５】
本通信回路１は、アンテナ１０、整合回路２０、受信ＩＣ３０、制御部４０および電圧回路５０を備えている。
【００１６】
整合回路２０は、電波を受信するアンテナ１０と受信ＩＣ３０との間のインピーダンス整合を行うものである。整合回路２０は、可変容量素子としてのバリキャップダイオード２１、コンデンサ２２〜２４、インダクタ２５を備えている。
【００１７】
また、バリキャップダイオード２１のアノード端子およびカソード端子には、当該バリキャップダイオード２１の容量値を測定するための容量測定器２の各測定端子を接続するためのテストピン（Ｐ１、Ｐ２）が接続されている
の各端子と、容量測定器２の測定端子を接続するためのテストピンＰ１、Ｐ２が設けられている。
【００１８】
バリキャップダイオード２１の容量値は、電圧回路５０より出力される印加電圧に応じて変化する。本実施形態では、電圧回路５０より出力される電圧値を最適電圧に設定することで、整合回路２０のインピーダンス調整を行うようになっている。
【００１９】
受信ＩＣ３０は、整合回路２０を介してアンテナ１０より入力される受信信号の増幅、復調等を行い、受信信号に含まれる各種データを抽出する。
【００２０】
制御部４０は、ＣＰＵ、Ｉ／Ｏ、通信部等を備えたマイクロコンピュータとして構成されている。また、制御部４０は、各種データを記憶するメモリ４０ａを有している。制御部４０は、メモリ４０ａに記憶されたプログラムに従って各種処理を実施する。
【００２１】
電圧回路５０は、整合回路２０のバリキャップダイオード２１に印加する印加電圧を出力するものである。電圧回路５０は、制御部４０よりパラレル出力されるデジタル信号をアナログ信号に変換するＤ／Ａ変換回路５１および抵抗５２を備えている。
【００２２】
電圧回路５０から制御部４０よりパラレル出力されるデジタル信号に応じた印加電圧が出力され、整合回路２０のバリキャップダイオード２１に印加されるようになっている。
【００２３】
容量測定器２は、バリキャップダイオード２１の容量値を測定するための測定器である。容量測定器２の測定端子がバリキャップダイオード２１のカソードに接続されたテストピンＰ１と、バリキャップダイオード２１のアノードに接続されたテストピンＰ２に接続されるようになっている。
【００２４】
また、容量測定器２は、制御ボード３を介して通信回路１の制御部４０と接続されるようになっている。
【００２５】
容量測定器２と通信回路１の制御部４０の間は、制御ボード３を介して接続されており、この制御ボード３を介して双方向通信を行うことが可能となっている。容量測定器２は、制御部４０からの要求に応じて容量値の測定を行うとともに、測定結果を制御ボード３を介して制御部４０に送信する。
【００２６】
制御ボード３は、容量測定器２と制御部４０の間の通信制御を行うためのものである。また、制御ボード３には、直流安定化電源（図示せず）から通信回路１への電源供給の開始または停止を指示する電源スイッチ、整合回路２０のインピーダンス調整の開始を指示する調整開始スイッチ等の操作スイッチが設けられている。
【００２７】
次に、バリキャップダイオード２１のＣ−Ｖ特性について説明する。図２に、バリキャップダイオード２１のＣ−Ｖ特性の一例を示す。図中のＸ軸は、印加電圧（逆電圧）Ｖ（Ｖ）、Ｙ軸は、容量Ｃ（ｐＦ）となっている。なお、図中のＣ−Ｖ特性は、１メガヘルツ（ＭＨｚ）の周波数帯域のものであり、ティピカル値として示されている。
【００２８】
図に示すように、印加電圧（逆電圧）Ｖが大きくなるにつれて、バリキャップダイオード２１の容量Ｃは小さくなっている。ここで、印加電圧をＸとすると、バリキャップダイオード２１の容量Ｃは、数式１に示すようなＸの関数として表すことができる。
【００２９】
【数１】
0005799897.tif 000002
本実施形態では、バリキャップダイオード２１を有する整合回路２０に局部発振信号を入力して整合回路２０の調整を行うのではなく、電圧回路５０より出力される印加電圧を変化させ、バリキャップダイオード２１に接続された容量測定器２にバリキャップダイオード２１の印加電圧の変化前後の各容量値を計測させ、バリキャップダイオード２１のＣ−Ｖ特性を利用して、計測した各容量値からバリキャップダイオード２１の容量値の初期ばらつきを補正するための電圧補正値を算出し、この電圧補正値を用いてバリキャップダイオード２１の容量値の初期ばらつきを打ち消すようなバリキャップダイオード２１の補正電圧を算出し、電圧回路５０から補正電圧が出力されるように電圧回路５０より出力される印加電圧を制御する。
【００３０】
バリキャップダイオード２１は、アノード、カソード間に印加する逆バイアス電圧の値により、容量値を変化させることが可能なダイオードである。バリキャップダイオード２１は、個体差により１０％程度の容量値のばらつきを有している。この容量値のばらつきの主因は、バリキャップダイオード２１の製造ばらつきによるものと考えられる。
【００３１】
複数のバリキャップダイオード２１を用いてＣ−Ｖ特性のばらつきについて検証したところ、図３の点線で示すように、Ｃ−Ｖ特性がＸ軸のプラス方向あるいはマイナス方向にシフトするようにばらつくことが確認できた。
【００３２】
本実施形態では、バリキャップダイオード２１の印加電圧値の実測値をｘ、バリキャップダイオード２１の容量値の初期ばらつきを補正するための電圧補正値をαとして、この電圧補正値αを算出する。
【００３３】
ここで、数式１で示したＸを、Ｘ＝ｘ−αと置換すると、数式１で示した関数は、数式２のように表すことができる。
【００３４】
【数２】
0005799897.tif 000003
また、バリキャップダイオード２１の印加電圧を第１の電圧Ｖ１に設定し、このとき、容量測定器２により測定された測定容量をＣ１とし、バリキャップダイオード２１の印加電圧を第２の電圧Ｖ２に設定し、このとき、容量測定器２により測定された測定容量をＣ２とすると、数式３の関係が成り立つ。
【００３５】
【数３】
0005799897.tif 000004
一方で、図１に示したバリキャップダイオード２１の標準的なＣ−Ｖ特性は、数式４に示す近似式で表される。
【００３６】
【数４】
0005799897.tif 000005
数式２において、第１の電圧Ｖ１＝１．６ボルト（Ｖ）に設定したときに、容量測定器２によりＣ１＝１５．９４ピコファラド（ｐＦ）と測定され、第２の電圧Ｖ２＝３．０ボルト（Ｖ）に設定したときに、容量測定器２によりＣ２＝１４．２６ピコファラド（ｐＦ）と測定されたものとすると、数式２、数式３より、次に示す数式５の関係が成立する。
【００３７】
【数５】
0005799897.tif 000006
この場合、数式５より、電圧補正値αは、数式６のように算出される。
【００３８】
【数６】
0005799897.tif 000007
次に、バリキャップダイオード２１の単体の容量値を算出する。数式４、数式６より、次に示す数式７の関係が成立する。
【００３９】
【数７】
0005799897.tif 000008
次に、バリキャップダイオード２１に印加する最適電圧を特定する。本実施形態では、数式７を用いて、バリキャップダイオード２１に印加する最適電圧を特定する。整合回路２０におけるバリキャップダイオード２１の容量値の設定値は、アンテナ１０により異なる。
【００４０】
例えば、バリキャップダイオード２１の容量値の設定値を３（ｐＦ）にしたい場合には、数式７において、ｆ＝３（ｐＦ）、電圧補正値α＝−０．０５として、バリキャップダイオード２１のに印加する最適電圧ｘ（Ｖ）を算出することができる。
【００４１】
このように、本実施形態では、電圧補正値αを用いてバリキャップダイオード２１の容量値の初期ばらつきを打ち消すようなバリキャップダイオード２１の最適電圧（補正電圧）を算出し、電圧回路５０から最適電圧（補正電圧）が出力されるように電圧回路５０より出力される印加電圧を制御する。
【００４２】
ところで、バリキャップダイオード２１の単体の容量値は、数式７を用いて算出することができる。例えば、第１の電圧Ｖ１＝１．６（Ｖ）の場合、ｘ＝１．６（Ｖ）、α＝−０．０５として、バリキャップダイオード２１の単体の容量値は４．４６（ｐＦ）と算出することができる。また、第２の電圧Ｖ２＝３．０（Ｖ）の場合、ｘ＝３．０（Ｖ）、α＝−０．０５として、バリキャップダイオード２１の単体の容量値は２．７８（ｐＦ）と算出することができる。
【００４３】
なお、バリキャップダイオード２１を基板から取り外して単体の容量値を計測したところ、第１の電圧Ｖ１＝１．６（Ｖ）の場合の単体の容量値は４．４１（ｐＦ）、第２の電圧Ｖ２＝３．０（Ｖ）の場合のバリキャップダイオード２１の単体の容量値は２．７４（ｐＦ）となった。
【００４４】
ちなみに、上記したようにバリキャップダイオード２１が、コンデンサ２２〜２４、インダクタ２５とともに基板に実装された状態で、バリキャップダイオード２１の容量値を計測した場合、第１の電圧Ｖ１＝１．６（Ｖ）の場合では、Ｃ１＝１５．９４（ｐＦ）、第２の電圧Ｖ２＝３．０（Ｖ）の場合では、Ｃ２＝１４．２６（ｐＦ）となり、バリキャップダイオード２１の単体の容量値と大きく異なる容量値が計測される。
【００４５】
しかし、バリキャップダイオード２１を基板に実装した状態でも、上記したように、バリキャップダイオード２１の印加電圧の変化前後の各容量値Ｃ１、Ｃ２および変化前後の各印加電圧値Ｖ１、Ｖ２を用いてバリキャップダイオード２１の容量値の初期ばらつきを補正するための電圧補正値αを算出することで、第１の電圧Ｖ１＝１．６（Ｖ）の場合の算出誤差は０．０５（ｐＦ）、第２の電圧Ｖ２＝３．０（Ｖ）の場合の算出誤差は０．０４（ｐＦ）となり、バリキャップダイオード２１の容量値を高精度で算出できることが確認された。
【００４６】
次に、図４に従って、通信回路１のインピーダンス調整方法について説明する。なお、容量測定器２と制御ボード３の間と、制御ボード３と制御部４０との間は、既に通信線を介して接続されているものとする。
【００４７】
まず、作業者は、テストピンＰ１、Ｐ２と容量測定器２の測定端子を接続する（Ｓ１００）。
【００４８】
次に、電圧回路５０の出力電圧を第１の電圧Ｖ１＝１．６Ｖに設定し、容量測定器２により測定された測定容量Ｃ１をメモリ４０ａに記憶させる（Ｓ１０２）。本実施形態では、作業者により制御ボード３に設けられた電源スイッチが操作されると、直流安定化電源（図示せず）から通信回路１への電源供給が開始され、更に、調整開始スイッチが操作されると、電圧回路５０から制御部４０よりパラレル出力されるデジタル信号に応じた印加電圧（第１の電圧）Ｖ１＝１．６Ｖが出力され、この第１の電圧Ｖ１が整合回路２０のバリキャップダイオード２１に印加される。また、電圧回路５０は、容量測定器２にバリキャップダイオード２１の容量の測定を指示し、この指示に応じて容量測定器２により測定された測定容量Ｃ１が制御ボード３を介して制御部４０に入力される。制御部４０は、この測定容量Ｃ１をメモリ４０ａに記憶させる。
【００４９】
次に、電圧回路５０の出力電圧を第２の電圧Ｖ２＝３．０Ｖに設定し、容量測定器２により測定された測定容量Ｃ２をメモリ４０ａに記憶させる（Ｓ１０４）。本実施形態では、電圧回路５０から制御部４０よりパラレル出力されるデジタル信号に応じた印加電圧（第２の電圧）Ｖ２＝３．０Ｖが出力されるようになっており、この第２の電圧Ｖ２が整合回路２０のバリキャップダイオード２１に印加される。また、電圧回路５０は、容量測定器２にバリキャップダイオード２１の容量の測定を指示し、この指示に応じて容量測定器２により測定された測定容量Ｃ２が制御ボード３を介して制御部４０に入力される。制御部４０は、この測定容量Ｃ２をメモリ４０ａに記憶させる。
【００５０】
次に、電圧補正値αを算出する（Ｓ１０６）。具体的には、制御部４０により数式２〜６を用いて電圧補正値αが算出される。
【００５１】
次に、バリキャップダイオード２１の単体の容量値を算出する（Ｓ１０８）。具体的には、制御部４０により数式７を用いてバリキャップダイオード２１の単体の容量値が算出される。
【００５２】
次に、最適電圧（補正電圧）を特定する（Ｓ１１０）。具体的には、制御部４０により数式７を用いてバリキャップダイオード２１の容量値が所望の容量値となるような最適電圧（補正電圧）が算出される。
【００５３】
次に、電圧回路５０から最適電圧が出力されるようにする（Ｓ１１２）。具体的には、電圧回路５０から最適電圧（補正電圧）が出力されるように制御部４０から電圧回路５０へ出力するデジタル信号を特定し、このデジタル信号を電圧回路５０へ出力するとともにメモリ４０ａに記憶させ、印加電圧の調整を終了する。
【００５４】
なお、このようにして印加電圧の調整が終了すると、次回以降、制御部４０は、動作開始時に、メモリ４０ａに記憶されたデジタル信号を読み出して、このデジタル信号を電圧回路５０へ出力し、電圧回路５０から最適電圧（補正電圧）が出力されるようになる。
【００５５】
上記した構成によれば、制御部４０は、電圧回路５０より出力される印加電圧を変化させてバリキャップダイオード２１に接続された容量測定器２にバリキャップダイオード２１の印加電圧の変化前後の各容量値Ｃ１、Ｃ２を計測させ、バリキャップダイオード２１の印加電圧の変化前後の各容量値Ｃ１、Ｃ２および変化前後の各印加電圧値Ｖ１、Ｖ２を用いてバリキャップダイオード２１の容量値の初期ばらつきを補正するための電圧補正値αを算出し、電圧補正値αを用いてバリキャップダイオード２１の容量値の初期ばらつきを打ち消すようなバリキャップダイオード２１の補正電圧を算出し、電圧回路５０から補正電圧が出力されるように電圧回路５０より出力される印加電圧を調整するので、例えば、可変容量素子を有する整合回路２０に局部発振信号を入力することなく整合回路２０の調整を行うことができ、より簡素な構成で、かつ、簡単な操作で、可変容量素子の容量値の初期ばらつきによる影響が抑制されるように可変容量素子の印加電圧調整を行うことができる。
【００５６】
なお、制御部４０は、バリキャップダイオード２１の印加電圧の変化前後の各容量値Ｃ１、Ｃ２および変化前後の各印加電圧値Ｖ１、Ｖ２をバリキャップダイオード２１の標準的なＣ−Ｖ特性を表す近似式に代入して電圧補正値αを算出することができる。
【００５７】
また、電圧回路５０から補正電圧が出力されるようにするためのデータを記憶するメモリ４０ａを備え、メモリ４０ａに記憶されたデータに基づいて電圧回路５０より出力される印加電圧が調整されるので、電圧回路５０から補正電圧が出力されるようにするためのデータがメモリ４０ａに記憶された後は、安定して電圧回路５０から補正電圧が出力されるようにすることができる。
【００５８】
また、バリキャップダイオード２１の電圧印加端子には、当該バリキャップダイオード２１の容量値を測定するためのテストピンＰ１、Ｐ２が接続されているので、これらのテストピンＰ１、Ｐ２を用いて容量測定器２の測定端子を容易に接続することができる。
【００５９】
なお、本発明は上記実施形態に限定されるものではなく、本発明の趣旨に基づいて種々なる形態で実施することができる。
【００６０】
例えば、上記実施形態では、整合回路２０として、図１中に示したような構成を示したが、この図に示した構成に限定されるものではない。
【００６１】
また、上記実施家形態では、制御部４０が、電圧回路５０より出力される印加電圧を変化させてバリキャップダイオード２１に接続された容量測定器２にバリキャップダイオード２１の印加電圧の変化前後の各容量値Ｃ１、Ｃ２を計測させ、バリキャップダイオード２１の印加電圧の変化前後の各容量値Ｃ１、Ｃ２および変化前後の各印加電圧値Ｖ１、Ｖ２を用いてバリキャップダイオード２１の容量値の初期ばらつきを補正するための電圧補正値αを算出し、電圧補正値αを用いてバリキャップダイオード２１の容量値の初期ばらつきを打ち消すようなバリキャップダイオード２１の補正電圧を算出し、電圧回路５０から補正電圧が出力されるように電圧回路５０より出力される印加電圧を調整する例を示したが、このような方法に限定されるものではなく、例えば、バリキャップダイオード２１に接続された容量測定器２にバリキャップダイオード２１の印加電圧の変化前後の各容量値Ｃ１、Ｃ２を計測する作業を作業者の作業で行うなど、一部または全てを作業者の作業操作で行うようにしてもよい。この場合、例えば、制御部４０にパーソナルコンピュータを接続し、このパーソナルコンピュータを用いて電圧補正値α、補正電圧等の算出や、制御部４０に対する補正電圧の指示等を行うようにすればよい。このように、通信回路としてだけでなく、整合回路の印加電圧調整方法として捉えることもできる。
【００６２】
また、上記実施形態では、第１の電圧としてＶ１＝１．６（Ｖ）、第２の電圧としてＶ２＝３．０（Ｖ）をバリキャップダイオード２１に印加して、バリキャップダイオード２１の各容量値（Ｃ１、Ｃ２）を計測する例を示したが、このような電圧値に限定されるものではない。
【００６３】
また、上記実施形態では、バリキャップダイオード２１を可変容量素子として使用したが、バリキャップダイオードに限定されるものではない。
【００６４】
なお、上記実施形態における構成と特許請求の範囲の構成との対応関係について説明すると、Ｓ１０２、Ｓ１０４が容量値計測手段および第１のステップに相当し、Ｓ１０６が電圧補正値算出手段および第２のステップに相当し、Ｓ１１０が補正電圧算出手段および第３のステップに相当し、Ｓ１１２が電圧回路制御手段および第４のステップに相当し、メモリ４０ａが記憶手段に相当する。
【符号の説明】
【００６５】
１    通信回路
２    容量測定器
３    制御ボード
１０  アンテナ
２０  整合回路
２１  バリキャップダイオード
３０  受信ＩＣ
４０  制御部
５０  電圧回路
【図１】
0005799897.tif 000009
【図２】
0005799897.tif 000010
【図３】
0005799897.tif 000011
【図４】
0005799897.tif 000012